(57)【要約】      （修正有）【課題】デジタル放送の映像と映像に対応した文字データとを、それぞれ有効操作可能に出力表示する。【解決手段】放送網１を介してデジタル放送を受信し出力表示するデジタル放送受信装置１０と、通信網１を介して通信を行うと共に前記デジタル放送受信装置１０との間で近距離通信を行う移動端末２０とを備え、前記デジタル放送受信装置１０が前記デジタル放送を出力表示したときに、前記移動端末２０が、前記デジタル放送受信装置１０との間で近距離通信を行い前記デジタル放送に対応した文字データを出力表示する機能を有する。【選択図】図１
2009038774.tif 000002
【特許請求の範囲】
【請求項１】
デジタル放送網を介してデジタル放送を受信し出力表示するデジタル放送受信装置と、通信網を介して通信を行うと共に前記デジタル放送受信装置との間で近距離通信を行う移動端末とを備え、
前記デジタル放送受信装置が前記デジタル放送を出力表示したときに、前記移動端末が、前記デジタル放送受信装置との間で近距離通信を行い前記デジタル放送に対応した文字データを出力表示する機能を備えたことを特徴とするデジタル放送受信システム。
【請求項２】
前記請求項１に記載のデジタル放送受信システムにおいて、
前記移動端末は、前記出力表示された文字データを介して前記通信網に通信アクセスを行う通信アクセス実行部を備えたことを特徴とするデジタル放送受信システム。
【請求項３】
前記請求項１又は２に記載のデジタル放送受信システムにおいて、
前記移動端末は、前記文字データを出力表示するのに際し前記放送網を介して前記文字データを取得する放送データ通信部を備えたことを特徴とするデジタル放送受信システム。
【請求項４】
前記請求項１又は２に記載のデジタル放送受信システムにおいて、
前記移動端末が、前記文字データを出力表示するのに際し前記デジタル放送受信装置から文字データを取得する近距離通信受信部を備えたことを特徴とするデジタル放送受信システム。
【請求項５】
前記請求項１又は２に記載のデジタル放送受信システムにおいて、
前記移動端末は、前記文字データを出力表示するのに際し前記放送網を介してデジタル放送を取得する放送データ通信部を備えたことを特徴とするデジタル放送受信システム。
【請求項６】
前記請求項３乃至５のいずれか一つに記載のデジタル放送受信システムにおいて、
前記デジタル放送受信装置は、前記デジタル放送に含まれる当該デジタル放送のチャンネル情報を前記移動端末に通知する近距離通信送信部を備えたことを特徴とするデジタル放送受信システム。
【請求項７】
前記請求項６に記載のデジタル放送受信システムにおいて、
前記移動端末が、前記通知されたチャンネル情報を当該チャンネル情報に対応した文字チャンネル情報に変換するチャンネル情報変換機能を有することを特徴としたデジタル放送受信システム。
【請求項８】
前記請求項６に記載のデジタル放送受信システムにおいて、
前記デジタル放送受信装置が、前記チャンネル情報を通知するのに先立ち前記チャンネル情報を当該チャンネル情報に対応した文字チャンネル情報に変換するチャンネル情報変換機能を有することを特徴としたデジタル放送受信システム。
【請求項９】
前記請求項６乃至８の何れかひとつに記載のデジタル放送受信システムにおいて、
前記移動端末の放送データ通信部が、前記文字チャンネル情報に基づき前記文字データを取得する機能を有することを特徴としたデジタル放送受信システム。
【請求項１０】
前記請求項７に記載のデジタル放送受信システムにおいて、
前記移動端末は、前記デジタル放送受信装置に前記チャンネル情報を要求するチャンネル情報要求部を備えたことを特徴とするデジタル放送受信システム。
【請求項１１】
前記請求項４に記載のデジタル放送受信システムにおいて、
前記移動端末が、前記取得されたデジタル放送を出力表示する機能を備え、
前記デジタル放送受信装置が、前記移動端末との間で近距離通信を行い前記出力表示されたデジタル放送に対応する文字データを出力表示する機能を備えたことを特徴とするデジタル放送受信システム。
【請求項１２】
デジタル放送網を介して送りこまれるデジタル放送を受信するデジタル放送受信装置と、当該デジタル放送受信装置との間で近距離通信を行う移動端末とを備え、前記移動端末が前記デジタル放送に対応した文字データを出力表示するデジタル放送受信方法において、
前記デジタル放送受信装置が、前記デジタル放送を出力表示するデジタル放送出力表示工程と、
前記移動端末が、前記デジタル放送受信装置との間で近距離通信を行う近距離通信工程と、
前記移動端末が、前記デジタル放送に対応した文字データを取得する文字データ取得工程と、
前記移動端末が、前記文字データを出力表示する文字データ出力表示工程と、
を備えたことを特徴とするデジタル放送受信方法。
【請求項１３】
前記請求項１２に記載のデジタル放送受信方法において、
前記移動端末が、前記デジタル放送のチャンネルを特定する情報を取得するチャンネル情報取得工程と、前記移動端末が、前記情報に基づいて前記デジタル放送網に通信アクセスを行う放送網アクセス工程とを前記近距離通信行程に代えて備えたことを特徴とするデジタル放送受信方法。
【請求項１４】
前記請求項１３に記載のデジタル放送受信方法において、
前記移動端末が、前記デジタル放送受信装置に対して前記情報に対応した文字データを要求する文字データ要求工程を前記放送網アクセス行程に代えて備えたことを特徴とするデジタル放送受信方法。
【請求項１５】
前記請求項１２に記載のデジタル放送受信方法において、
前記移動端末は、前記出力表示された文字データを介して前記通信網に通信アクセスを行う通信網アクセス工程を前記文字データ出力表示工程の後に備えたことを特徴とするデジタル放送受信方法。
【請求項１６】
デジタル放送網を介して送りこまれたデジタル放送を出力表示するデジタル放送受信装置と、このデジタル放送受信装置との間で近距離通信を行う移動端末とを備え、前記移動端末が前記デジタル放送に対応した文字データを出力表示するためのデジタル放送受信プログラムにおいて、
前記出力表示されたデジタル放送のチャンネルを特定する情報を取得するチャンネル情報取得機能、
前記情報に基づいて前記デジタル放送網に通信アクセスを行う放送網アクセス機能、
前記デジタル放送網を介して前記デジタル放送に対応した文字データを取得する文字データ取得機能、
前記取得された文字データを出力表示する文字データ出力表示機能、
をコンピュータに実行させることを特徴としたデジタル放送受信プログラム。
【請求項１７】
前記請求項１６に記載のデジタル放送受信プログラムにおいて、
前記デジタル放送受信装置から前記デジタル放送に対応した文字データを取得する文字データ間接取得機能をコンピュータに実行させることを特徴としたデジタル放送受信プログラム。
【請求項１８】
前記請求項１６に記載のデジタル放送受信プログラムにおいて、
前記出力表示された文字データを介して前記通信網に通信アクセスを行う通信網アクセス機能をコンピュータに実行させることを特徴としたデジタル放送受信プログラム。
【発明の詳細な説明】
【技術分野】
【０００１】
本発明は、文字データを含むデジタル放送を受信し出力表示するデジタル放送受信システム、デジタル放送受信方法、およびデジタル放送受信プログラムに関する。
【背景技術】
【０００２】
地上波デジタル放送には、映像および音声情報の他に文字データが含まれている。地上波デジタル放送対応の据置テレビ(以下「据置ＴＶ」という)では、文字データの出力表示を行う場合、映像とこの映像(チャンネル)に対応する文字データとを画面上の異なる領域にそれぞれ表示する(２画面表示)か、または、映像に重ねて文字データの表示を行う。
【０００３】
この場合、文字データを表示する分、映像部分領域が小さくなる、または、表示された文字データが映像画面に重なることにより、映像部分を見づらくしてしまうという不都合が生じうる。更に、据置テレビ画面上に２画面表示された映像と文字データとを据置テレビ用のリモコン１つで操作する必要があるため、操作しづらいという不都合があった。
【０００４】
ところで、近年地上波デジタル放送を視聴可能な携帯電話が普及してきており、これにより、据置ＴＶと携帯電話、それぞれで地上波デジタル放送の視聴が可能となっている。しかしながら、この場合、携帯電話とテレビの連動がないため、それぞれで受信される同じ放送(番組)に対しても別々の操作が必要となる。
これに対して、据置ＴＶと携帯電話との相互間で、視聴している番組を引き継ぐ手法が開示されている(特許文献１)。
【０００５】
【特許文献１】２００６−４１８２１
【発明の開示】
【発明が解決しようとする課題】
【０００６】
しかしながら、上記特許文献１に記載の従来技術は、携帯電話で出力表示されているチャンネル(番組)と同じチャンネルを、据置ＴＶ側で引継いで出力表示するための手法であって、番組映像とこの番組映像に対応する文字データとを別画面で表示することを意図したものではないことは明らかである。
【０００７】
又、据置ＴＶのチャンネル映像に対応する文字データを、携帯電話に出力表示するためには、携帯電話ユーザが、据置ＴＶの映像に対応した文字データにチャンネルを合わせなければならないという不都合があった。
【０００８】
更に、据置ＴＶに表示された文字データに含まれる連絡先やホームページのアドレス(ＵＲＬ)に通信アクセスを行うためには、ユーザ自身が電話番号、E-mailアドレス、ＵＲＬ等を管理すると共に、通信アクセスを行うために電話をかける、アドレスを入力するといった動作を行わなければならない点でユーザに負担がかかっていた。
つまり、携帯電話の通信機能と文字データとを有効に連携させて活用することができないという点で非効率的であった。
【０００９】
［発明の目的］
本発明は、上記従来例の有する不都合を改善し、デジタル放送の映像とこの映像に対応した文字データとを、それぞれ有効操作可能に出力表示するデジタル放送受信システム、デジタル放送受信方法、およびデジタル放送受信プログラムを提供することを、その目的とする。
【課題を解決するための手段】
【００１０】
上記目的を達成するために、本発明に係るデジタル放送受信システムでは、デジタル放送網を介してデジタル放送を受信し出力表示するデジタル放送受信装置と、通信網を介して通信を行うと共に前記デジタル放送受信装置との間で近距離通信を行う移動端末とを備え、前記デジタル放送受信装置が前記デジタル放送を出力表示したときに、前記移動端末が、前記デジタル放送受信装置との間で近距離通信を行い前記デジタル放送に対応した文字データを出力表示する機能を備えたことを特徴とする。
【００１１】
又、本発明にかかるデジタル放送受信方法は、デジタル放送網を介して送りこまれるデジタル放送を受信するデジタル放送受信装置と、当該デジタル放送受信装置との間で近距離通信を行う移動端末とを備え、前記移動端末が前記デジタル放送に対応した文字データを出力表示するデジタル放送受信方法において、前記デジタル放送受信装置が、前記デジタル放送を出力表示するデジタル放送出力表示工程と、前記移動端末が、
前記デジタル放送受信装置との間で近距離通信を行う近距離通信工程と、前記移動端末が、前記デジタル放送に対応した文字データを取得する文字データ取得工程と、前記移動端末が、前記文字データを出力表示する文字データ出力表示工程と、を備えたことを特徴とする。
【００１２】
更に、本発明にかかるデジタル放送受信プログラムは、デジタル放送網を介して送りこまれたデジタル放送を出力表示するデジタル放送受信装置と、このデジタル放送受信装置との間で近距離通信を行う移動端末とを備え、前記移動端末が前記デジタル放送に対応した文字データを出力表示するためのデジタル放送受信プログラムにおいて、前記出力表示されたデジタル放送のチャンネルを特定する情報を取得するチャンネル情報取得機能、前記情報に基づいて前記デジタル放送網に通信アクセスを行う放送網アクセス機能、前記デジタル放送網を介して前記デジタル放送に対応した文字データを取得する文字データ取得機能、前記取得された文字データを出力表示する文字データ出力表示機能、をコンピュータに実行させることを特徴としている。
【発明の効果】
【００１３】
本発明は、以上のように構成され機能するので、これによると、デジタル放送を出力表示するデジタル放送受信装置と、このデジタル放送受信装置との間で相互に近距離通信を行うと共に通信網を介しての通信機能を有する移動端末とを備え、この移動端末が、前記デジタル放送受信装置にデジタル放送が出力表示されたときに、当該デジタル放送に対応した文字データを出力表示する機能を有することにより、前記デジタル放送の映像と文字データとをそれぞれ異なる装置で自動的に出力表示でき、且つ前記移動端末に予め設けられた通信機能により、前記出力表示された文字データを介して通信網に対する通信アクセスを行うことができる。
【発明を実施するための最良の形態】
【００１４】
［実施形態１］
本発明の実施形態１は、図１に示すように、地上デジタル放送通信網(以下「放送網」という)１を介してデジタル放送を受信するデジタル放送受信装置１０と、汎用の携帯電話通信網(以下「携帯通信網」という)２を介して通信を行う移動端末(携帯電話)２０を設けている。
【００１５】
ここで、デジタル放送受信装置１０は、デジタル放送（放送番組データを含む）を受信するテレビ側放送データ通信部１１と、受信されたデジタル放送の放送番組データを出力表示するテレビ側表示部１３と、出力された放送番組データを保存蓄積するデータ蓄積容量部１４と、放送番組データに含まれチャンネルを特定するチャンネル特定情報を、移動端末２０との間で近距離通信するテレビ側近距離送信部１６およびテレビ側近距離受信部１７と、上記テレビ側放送データ通信部１１、テレビ側表示部１３、データ蓄積容量部１４、テレビ側近距離送信部１６およびテレビ側近距離受信部１７それぞれの動作を制御するテレビ側制御部１２を有し、更に、このテレビ側制御部１２に対して動作指令の入力を行うテレビ側入力部１５を備えている。
【００１６】
又、移動端末２０は、デジタル放送（ワンセグ放送データを含む）を受信する携帯側放送データ通信部２１と、受信されたワンセグ放送データを出力表示する表示部と、受信された放送データを保存蓄積するデータ蓄積容量部２４と、放送番組データに含まれチャンネルを特定するチャンネル特定情報を、移動端末２０との間で近距離通信する携帯側近距離送信部２６および携帯側近距離受信部２７と、上記携帯側放送データ通信部２１、携帯側表示部２３、データ蓄積容量部２４、携帯側近距離送信部２６および携帯側近距離受信部２７それぞれの動作を制御する携帯側制御部２２とを有し、更に、この携帯側制御部２２に対して動作指令の入力を行う携帯側入力部２５とを備えた構成となっている。
【００１７】
ここで、上記の放送通信網１は、地上デジタル放送(ＩＰＴＶ：Internet Protocol Televisionを含む)の放送通信網を想定している。又、上記携帯通信網２としては、通常の携帯電話網と屋内無線通信網と固定網の組み合わせを想定している。
【００１８】
以下、これを詳説する。
デジタル放送受信装置１０は、地上デジタル放送(以下「デジタル放送」という)の受信および出力表示可能なテレビ装置を想定している。
デジタル放送受信装置１０のテレビ側放送データ通信部１１は、放送網１に接続され、デジタル放送を受信する放送データ受信機能を備えている。ここで、テレビ側放送データ通信部１１は、例えば、地上デジタル放送を受信する放送通信用チップを想定している。
【００１９】
テレビ側表示部１３は、前記テレビ側放送データ通信部１１で受信された放送データを出力表示する放送データ表示機能を有する。
テレビ側データ蓄積部１４は、上記テレビ側放送データ通信部１１が受信した放送データを一時的に保存する放送データ保存機能を備えている。
【００２０】
テレビ１０の近距離通信部はテレビ側近距離送信部１６およびテレビ側近距離受信部１７からなり、移動端末２０の近距離通信部との近距離通信を実行する。
テレビ側近距離送信部１６は、上記放送データの番組(チャンネル)を特定する番組特定情報を、移動端末２０に対して送信する番組特定情報送信機能を有する。
又、テレビ側近距離送信部１６は、テレビ１０と移動端末２０とが相互に通信可能であるときに、移動端末２０に対して番組特定情報の通知が可能であることを示す通知準備情報を送信する通知準備送信機能を備えている。
【００２１】
ここでは、テレビ１０と移動端末２０とが相互に通信可能である場合として、例えば、予め移動端末２０に備えられたＩｒＤＡが通信可能にある状態や、移動端末２０に備えられたＲＦＩＤ(Radio Frequency Identification：電波方式認識)がテレビ１０に接続されたＳＴＢ(Settop Box：セットトップ・ボックス)にかざされた状態を想定している(テレビ１０に機能内蔵されたＳＴＢも含む)。
テレビ側近距離受信部１７は、移動端末２０の近距離送信部２７から送り込まれる特定情報要求信号を受信する要求信号受信機能を備えている。
【００２２】
テレビ側制御部１２は、テレビ側放送データ通信部１１が受信する放送データをテレビ側表示部１３に出力表示する動作を制御する出力表示制御機能と、前記出力表示された放送データをテレビ側データ蓄積部１４に格納する出力放送データ格納機能を備えている。
又、テレビ側制御部１２は、受信された放送データから番組特定情報を取得してテレビ側近距離送信部１６に通知する番組特定情報通知機能と、テレビ側近距離受信部１７から通知された番組特定情報要求に対して上記番組特定情報通知機能を実行する要求応答機能を備えている。
【００２３】
更に、テレビ側制御部１２は、テレビ側表示部１３で表示される(番組)チャンネルが切り替わったときに、切替先のチャンネルの番組特定情報を取得してテレビ側近距離送信部１６に通知する機能を備えている。
これにより、テレビ１０は、出力表示されるチャンネルが切り替えられることを契機として、切替先のチャンネルの番組特定情報を、前記移動端末２０に対して自動的に通知することができる。
【００２４】
次に、上記移動端末２０の携帯側放送データ通信部２１は、放送網１に接続され、デジタル放送を受信する放送データ受信機能を備えている。ここで、移動端末２０は、携帯端末用地上波デジタル放送(例えば、ワンセグ放送など)を受信可能な携帯電話を想定しており、又、携帯側放送データ通信部２１は、地上波デジタル放送(ワンセグ放送)を受信するワンセグ放送通信用チップを想定している。
【００２５】
携帯側表示部２３は、前記携帯側放送データ通信部２１で受信された放送データを出力表示する放送データ表示機能を有し、これにより、移動端末２０は、前記放送データの映像データおよび文字データを表示することができる。
携帯側データ蓄積部２４は、上記携帯側放送データ通信部２１が受信した放送データを一時的に保存する放送データ保存機能を備えている。これにより、移動端末２０は、出力表示した放送データおよび文字データを記録保持することができる。
又、携帯側データ蓄積部２４は、予め設定されたチャンネルマッピング情報を有する。ここで、チャンネルマッピング情報は、図３に示すように、テレビ１０における番組特定情報と移動端末２０における携帯端末用番組特定情報との相互対応を示すテーブル情報である。
【００２６】
携帯側近距離送信部２６は、上記放送データに含まれ当該放送データの番組を特定する番組特定情報を、移動端末２０に対して送信する番組特定情報送信機能を有する。
携帯側近距離受信部２７は、移動端末２０の近距離送信部２７から送り込まれる特定情報要求信号を受信する要求信号受信機能を備えている。
【００２７】
携帯側制御部２２は、テレビ側放送データ通信部１１の動作を制御することにより、携帯側表示部２３が放送データを出力表示する動作を制御する出力表示制御機能と、前記出力表示された放送データをテレビ側データ蓄積部１４に格納する出力放送データ格納機能を備えている。
又、携帯側制御部２２は、受信された放送データから番組特定情報を取得してテレビ側近距離送信部１６に通知する番組特定情報取得機能と、テレビ側近距離受信部１７から通知された要求情報に基づき上記番組特定情報取得機能を実行する要求応答機能を備えている。
【００２８】
更に、携帯側制御部２２は、携帯側表示部２３で表示される番組(チャンネル)が、（切替元のチャンネルから切替先のチャンネルに）切り替わったときに、切替先チャンネルの番組特定情報を取得して携帯側近距離送信部２６に通知する機能を備えている。
又、携帯側制御部２２は、携帯側データ蓄積部２４に予め保存されたチャンネルマッピング情報に基づいて、前記番組特定情報を携帯電話用番組特定情報に変換する番組特定情報変換機能を備えている。
【００２９】
更に、携帯側制御部２２は、テレビ側放送データ通信部１１を介して上記チャンネルマッピング情報を最新の状態に更新するマッピング情報更新機能を有する。
尚、このマッピング情報更新機能は、毎日の携帯電話オペレータのメンテナンスと合わせてＯＴＡ(Over The Air)で更新されるものとする。又、通信開始時に、移動端末の通信網インフラを介して、マッピング情報のチェックと更新が行われてもよい。
【００３０】
次に、通常携帯電話通信部２８は、通信網２に接続され、デジタル放送を受信する携帯端末用放送データ受信機能を備えている。
ここで、通信網２としては、通常の携帯電話網又は、屋内無線通信網と固定網の組み合わせ(例えばFemto Cell)であってもよい。
【００３１】
又、通常携帯電話通信部２８は、一般に携帯電話の通信ネットワーク上で適用される認証機能と、通信ネットワーク上における決済サービスであるモバイルペイメント機能とを備えている。
これにより、移動端末２０は、通信網２を介してセキュリティの高い認証システム下で決済サービスを利用することができる。
【００３２】
［実施形態１の動作説明］
次に、上記実施形態の動作について説明する。
先ず、デジタル放送受信装置１０が、前記デジタル放送を出力表示する(デジタル放送出力表示工程)。次いで、移動端末２０が、前記デジタル放送受信装置１０との間で近距離通信を行う(近距離通信工程)。次に、移動端末２０が、前記デジタル放送に対応した文字データを取得する(文字データ取得工程)。次いで、前記移動端末は、前記文字データを出力表示する(文字データ出力表示工程)。
【００３３】
ここで、上記デジタル放送出力表示工程、近距離通信工程、文字データ取得工程、および文字データ出力表示工程については、その実行内容をプログラム化し、コンピュータに実行させるように構成してもよい。
【００３４】
次に、上記実施形態１のデジタル放送受信システムの動作のうち、デジタル放送番組を介してユーザが買い物を行う場合のデジタル放送受信システムの動作について図４のフローチャートに基づいて説明する。
【００３５】
先ず、デジタル放送受信装置(以下「テレビ」という)１０と移動端末２０とが相互に近距離通信が可能な状態で設置されており、テレビ１０は、移動端末２０との連携アプリケーションを立ち上げる(ステップＳ１００)。
ここでは、例えば、予め移動端末２０に備えられたＩｒＤＡ(Infrared Data Association：赤外線通信)が通信可能にある状態や、移動端末２０に備えられたＲＦＩＤが、テレビ１０に接続されたＳＴＢ(テレビ１０に機能内蔵されたＳＴＢも含む)にかざされた状態を想定している。
又、このときテレビ１０および移動端末２０のユーザは、デジタル放送のショッピング番組を視聴しているものとする。
ここで、テレビ１０は、移動端末２０に番組特定情報の通知が可能であることを示す通知準備情報を送信すると共に、移動端末２０は、この通知準備情報に対応して、「番組特定情報を取得するか否か」のダイアログを表示する(ステップＳ１０１)。
【００３６】
次いで、移動端末２０のユーザが、「番組特定情報の取得」指定することにより、近距離送信部２７が、番組特定情報要求を送信する(ステップＳ１０２)。
次いで、移動端末２０の近距離受信部２６は、上記番組特定情報要求に対してテレビ１０から送り込まれた番組特定情報を取得する(ステップＳ１０３)。
尚、ここでは、テレビ１０と移動端末２０とが相互に近距離通信が可能な状態である場合に、移動端末２０が、番組特定情報を定期的に自動的に取得するように設定してもよい。
【００３７】
次に、携帯側制御部２２は、移動端末２０の携帯側データ蓄積部２４に保存されたチャンネルマッピング情報に基づいて、前記受信した番組特定情報を携帯電話用番組特定情報に変換する(ステップＳ１０４)。
次いで、移動端末２０は、放送網１を介して移動端末用番組特定情報に対応する文字データを取得すると共に、この文字データを表示する(ステップＳ１０５)。
【００３８】
次いで、表示された文字データ中に含まれるＵＲＬ(Uniform Resource Locator)を、ユーザが選択指定することにより、Ｗｅｂサイト(ショッピングサイト)にアクセスを行う(ステップＳ１０６)。
ここで、移動端末１０に出力表示された文字データ中に電話番号が表示されている場合は、この電話番号を選択指定することにより電話をかけることができるように設定してもよい。
【００３９】
次いで、選択指定されたサイト内容が携帯側表示部２３に表示される(ステップＳ１０７)。
ここで、移動端末２０のユーザは、ショッピングを開始するか否かを選択指定する(ステップＳ１０８)。
ここで、ユーザがショッピングの開始を選択指定した場合に、ショッピングサイト内で予め設定された認証機能により、移動端末２０のユーザ認証が行われてもよい。
【００４０】
次いで、移動端末２０のユーザは、表示されたショッピングサイトを介してショッピングを行い、移動端末２０に予め設けられたモバイルペイメント機能により決済を行う(ステップＳ１０９)。
【００４１】
ここで、ステップＳ１０８においてユーザが、「ショッピングを開始しない」を選択指定した場合に、当該ショッピングサイトの内容を、予め設定されたあて先に通知する否かのダイアログが表示される(ステップＳ１１０)。
ここで、ユーザが、「転送する」を指定した場合、上記ショッピングサイトについての情報を設定された転送先に転送する(ステップＳ１１１)。
次いで、移動端末２０には、ショッピングサイトの閲覧を継続するか否かのダイアログが表示される(ステップＳ１１２)。
【００４２】
ユーザが、ショッピングサイトの閲覧を継続する場合には、指定されたサイト内容が表示され(ステップＳ１０７へ)、一方、ショッピングサイトの閲覧継続を指定しない場合には、移動端末２０は、通信アクセスおよび通信を終了する(ステップＳ１１３)。
【００４３】
以上のように、ここでは、デジタル放送の番組における映像データをテレビ１０に、対応する文字データを移動端末２０の画面に、それぞれ出力表示することにより、ユーザは、予め移動端末２０に設けられたユーザ認証機能やモバイルペイメント機能を含む通信機能を利用して、テレビ１０の画面で視聴した商品の注文や購入を行うことができる。
又、上記モバイルペイメント機能により、ショッピングにおける決済を容易に行うことができ、更に上記ユーザ認証機能を利用することにより、移動端末２０は、セキュリティの高い通信を行うことができる。
【００４４】
次に、上記実施形態１のデジタル放送受信システムの動作のうち、ユーザが、デジタル放送のクイズ番組に参加(クイズ回答)する、又はデジタル放送番組を介して投票を行う場合のデジタル放送受信システムの動作について説明する。
【００４５】
先ず、デジタル放送受信装置１０が、前記デジタル放送を出力表示する(デジタル放送出力表示工程)。前記移動端末が、前記デジタル放送のチャンネルを特定する情報を取得して(チャンネル情報取得工程)、前記移動端末が、前記情報に基づいて前記デジタル放送網に通信アクセスを行う(放送網アクセス工程)。次に、移動端末３０が、前記デジタル放送に対応した文字データを取得する(文字データ取得工程)。次いで、前記移動端末は、前記文字データを出力表示する(文字データ出力表示工程)。次に、前記移動端末が、出力表示された文字データを介して通信網に通信アクセスを行う(通信網アクセス工程)。
【００４６】
又、上記デジタル放送出力表示工程、チャンネル情報取得工程、放送網アクセス工程、文字データ取得工程、文字データ出力表示工程、および通信網アクセス工程については、その実行内容をプログラム化し、コンピュータに実行させるように構成してもよい。
【００４７】
以下、図５のフローチャートに基づいて詳説する。
先ず、デジタル放送受信装置(以下「テレビ」という)１０と移動端末２０とが相互に近距離通信が可能な状態で設置されており、テレビ１０は、移動端末２０との連携アプリケーションを立ち上げる(ステップＳ１２０)。
ここでは、上述の内容と同様に、例えば、予め移動端末２０に備えられたＩｒＤＡが通信可能にある状態や、移動端末２０に備えられたＲＦＩＤが、テレビ１０に接続されたＳＴＢ(テレビ１０に機能内蔵されたＳＴＢも含む)にかざされた状態を想定している。
又、このとき移動端末２０のユーザは、デジタル放送のうち視聴者回答が可能なクイズ番組、又は視聴者投票可能な番組を視聴しているものとする。
ここで、テレビ１０は、移動端末２０に番組特定情報の通知が可能であることを示す通知準備情報を送信すると共に、移動端末２０は、この通知準備情報に対応して、「番組特定情報を取得するか否か」のダイアログを表示する(ステップＳ１２１)。
【００４８】
次いで、移動端末２０のユーザが、「番組特定情報の取得」指定することにより、近距離送信部２７が、番組特定情報要求を送信する(ステップＳ１２２)。
次いで、移動端末２０の近距離受信部２６は、上記番組特定情報要求に対して送り込まれた番組特定情報を取得する(ステップＳ１２３)。
尚、ここでは、テレビ１０と移動端末２０とが相互に近距離通信が可能な状態である場合に、移動端末２０が、番組特定情報を自動的に取得するように設定してもよい。
【００４９】
次に、携帯側制御部２２は、移動端末２０の携帯側データ蓄積部２４に保存されたチャンネルマッピング情報に基づいて、前記受信した番組特定情報を携帯電話用番組特定情報に変換する(ステップＳ１２４)。
次いで、移動端末２０は、放送網１を介して移動端末用番組特定情報に対応する文字データを取得すると共に、この文字データを表示する(ステップＳ１２５)。
【００５０】
次いで、表示された文字データ中に含まれるＵＲＬを、ユーザが選択指定することにより、Ｗｅｂサイト(ショッピングサイト)にアクセスを行う(ステップＳ１２６)。
ここで、文字データ中に電話番号が表示されている場合は、選択指定することにより電話をかけることができる設定としてもよい。
【００５１】
次いで、選択指定されたサイト内容(クイズ回答・投票サイト)が携帯側表示部２３に表示される(ステップＳ１２７)。
移動端末２０のユーザは、デジタル放送(番組)におけるクイズの回答(又は投票)を行うか否かを、表示されたサイト上で選択指定する(ステップＳ１２８)。ここで、ユーザがクイズ回答(又は投票)を行う場合には、移動端末２０に予め設けられた移動端末２０のユーザ認証機能を利用して、クイズ回答(又は投票)を行う(ステップＳ１２９)。
これにより、正確な回答・投票人数の集計を行うことができると共に、個人情報の漏洩を有効に回避することが可能となる。
【００５２】
次いで、移動端末２０のユーザが、クイズ回答・投票サイトの閲覧を継続する場合には、指定されたサイト内容が表示され(ステップＳ１２７へ)、一方、クイズ回答・投票サイトの閲覧継続を指定しない場合、移動端末２０は、通信アクセスおよび通信を終了する(ステップＳ１３１)。
【００５３】
以上のように、ここでは、デジタル放送の番組における映像データをテレビ１０に、この映像データに対応する文字データを移動端末２０の画面に、それぞれ出力表示することにより、ユーザは、予め移動端末１０に設けられた通信機能を利用して、番組におけるクイズに直接回答したり、選挙やアンケートに対する投票を行うことができる。
【００５４】
次に、上記実施形態１のデジタル放送受信システムの動作のうち、デジタル放送番組の映像データを移動端末２０に出力表示すると共に、文字データをテレビ１０側に出力表示する場合のデジタル放送受信システムの動作について説明する。
【００５５】
先ず、デジタル放送受信装置１０が、前記デジタル放送を出力表示する(デジタル放送出力表示工程)。前記移動端末が、前記デジタル放送のチャンネルを特定する情報を取得して(チャンネル情報取得工程)、前記デジタル放送受信装置に対して前記情報に対応した文字データを要求する(文字データ要求工程)。次に、移動端末３０が、前記デジタル放送に対応した文字データを取得する(文字データ取得工程)。次いで、前記移動端末は、前記文字データを出力表示する(文字データ出力表示工程)。次に、前記移動端末が、出力表示された文字データを介して通信網に通信アクセスを行う(通信網アクセス工程)。
【００５６】
又、上記デジタル放送出力表示工程、チャンネル情報取得工程、文字データ要求工程、文字データ取得工程、文字データ出力表示工程、および通信網アクセス工程については、その実行内容をプログラム化し、コンピュータに実行させるように構成してもよい。
【００５７】
以下、図６のフローチャートに基づいて詳説する。
先ず、デジタル放送受信装置(以下「テレビ」という)１０と移動端末２０とが相互に近距離通信が可能な状態で設置されており、テレビ１０は、移動端末２０との連携アプリケーションを立ち上げる(ステップＳ１４０)。
ここでは、例えば、予め移動端末２０に備えられたＩｒＤＡが通信可能にある状態や、移動端末２０に備えられたＲＦＩＤが、テレビ１０に接続されたＳＴＢ(テレビ１０に機能内蔵されたＳＴＢも含む)にかざされた状態を想定している。
又、このとき移動端末２０のユーザは、出力表示されているデジタル放送番組を視聴しているものとする。
ここで、テレビ１０は、移動端末２０に番組特定情報の通知が可能であることを示す通知準備情報を送信すると共に、移動端末２０がこの通知準備情報に対応して、「番組特定情報を取得するか否か」のダイアログを表示する(ステップＳ１４１)。
【００５８】
次いで、移動端末２０のユーザが、「番組特定情報の取得」を指定することにより、近距離送信部２７が、番組特定情報要求を送信する(ステップＳ１４２)。
次いで、移動端末２０の近距離受信部２６は、上記番組特定情報要求に対して送り込まれた番組特定情報を取得する(ステップＳ１４３)。
尚、ここでは、テレビ１０と移動端末２０とが相互に近距離通信が可能な状態である場合に、移動端末２０が、番組特定情報を自動的に取得するように設定してもよい。移動端末２０はユーザの操作を伴うことなく、番組特定情報を取得することができる。
【００５９】
次に、携帯側制御部２２は、移動端末２０の携帯側データ蓄積部２４に保存されたチャンネルマッピング情報に基づいて、前記受信した番組特定情報を携帯電話用番組特定情報に変換する(ステップＳ１４４)。
次いで、移動端末２０は、放送網１を介して移動端末用番組特定情報に対応するデジタル放送番組の映像データを取得すると共に、この映像データを表示する(ステップＳ１４５)。尚、ここで、取得された映像データには、対応する文字データが含まれていてもよい。
【００６０】
又、移動端末２０は、テレビ１０で文字データを出力表示するか否かのダイアログを表示する(ステップＳ１４６)。ここで、移動端末２０のユーザが文字データの出力表示を指定した場合、移動端末２０からテレビ１０に、表示された映像データを対応する文字データに切り替えることを指令する信号(文字データ切替信号)を送信する(ステップＳ１４７)。
テレビ１０は、文字データ切替信号に基づき、対応する文字データを出力表示する(ステップＳ１４８)。
次いで、ユーザは、テレビ１０の入力部を操作することにより、テレビ１０で出力表示される番組に応じて、ショッピング、投票、クイズ回答などを行う(ステップＳ１４９)
【００６１】
以上のように、ここでは、テレビ１０が放送網１および通信網２に接続可能である場合に、デジタル放送の映像データを移動端末２０に、又、この映像データに対応する文字データをテレビ１０にそれぞれ出力表示することができ、これにより、据置ＴＶ１０に表示された文字データを介して直接に通信アクセスを行うことができる。
これにより、ユーザは、予めテレビ１０に備えられた通信機能を利用して移動端末２０で視聴したデジタル放送における番組に投票、クイズ回答などの形で直接参加する、又は、番組で紹介された商品を購入するといったことが可能となる。
【００６２】
以上のように、この実施形態１では、テレビ１０(据置ＴＶ)で視聴される番組に対応した文字データを携帯電話側で表示することにより、予め移動端末(携帯電話)に設けられた通信機能を利用して文字データ内のアドレス等に直接に通信アクセスを行うことができる。
【００６３】
このように、上記実施形態１によれば、デジタル放送を出力表示するテレビ１０と、このテレビ１０との間で相互に近距離通信(例えば、BluetoothやIrDA等)を行い、通信網２を介して通信を行う機能を有する移動端末２０とを備える構成とした。
又、この移動端末２０が、前記テレビ１０にデジタル放送が出力表示されたときに、当該デジタル放送に対応した文字データを出力表示する機能を備えている。
【００６４】
これによって、前記デジタル放送の映像と文字データとを、据置ＴＶまたは移動端末に、それぞれ自動的に出力表示でき、且つ出力表示された文字データを介して、移動端末２０に予め設けられた通信機能により通信網２に通信アクセスを行うことができ、このため、携帯電話をはじめとする移動端末の通信機能と据置ＴＶで視聴されるデジタル放送とをユーザが容易に連携して利用することができる。
【００６５】
［変形例］
次に、前述した実施形態１における構成要素のうちの移動端末２０の携帯側データ蓄積部２４に保存されたチャンネルマッピング情報を、携帯側データ蓄積部２４に代えてテレビ側データ蓄積部１４に設けた場合について、実施形態１の変形例として説明する。
【００６６】
この場合、テレビ側制御部１２は、番組特定情報通知機能を実行するのに先立って、テレビ側データ蓄積部１４に予め保存されたチャンネルマッピング情報に基づき、番組特定情報を携帯電話用番組特定情報に変換する機能を有する。
これにより、テレビ１０から移動端末２０に対して携帯電話用番組特定情報が直接通知されることとなり、このため移動端末２０側では迅速に文字データの取得および出力表示を行うことができる。
その他の構成については前述した実施形態１と同一のものとする。
【００６７】
［実施形態２］
次に、本発明の実施形態２のデジタル放送受信システムについて説明する。ここで、前述した実施形態１と同一の部分については、同一符号を付するものとする。
この実施形態２は、システムの機器構成部分は前述した実施形態１とほぼ同一の構成を備えており、図７に示すように、移動端末３０は、上述実施形態１における携帯側放送データ通信部２１を備えていない点が実施形態１の場合と相違する。
以下これを詳述する。
【００６８】
本発明の実施形態２は、上述した実施形態１(図１)の場合と同様に、図７に示すように、地上デジタル放送通信網(以下「放送網」という)１を介してデジタル放送を受信するデジタル放送受信装置１０と、汎用の携帯電話通信網(以下「通信網」という)２を介して通信を行う移動端末３０を設けている。
【００６９】
ここで、デジタル放送受信装置１０は、デジタル放送（放送番組データを含む）を受信するテレビ側放送データ通信部１１と、受信されたデジタル放送の放送番組データを出力表示するテレビ側表示部１３と、出力された放送番組データを保存蓄積するデータ蓄積容量部１４と、放送番組データに含まれチャンネルを特定するチャンネル特定情報を、移動端末３０との間で近距離通信するテレビ側近距離送信部１６およびテレビ側近距離受信部１７と、上記テレビ側放送データ通信部１１、テレビ側表示部１３、データ蓄積容量部１４、テレビ側近距離送信部１６およびテレビ側近距離受信部１７それぞれの動作を制御するテレビ側制御部１２を有し、更に、このテレビ側制御部１２に対して動作指令の入力を行うテレビ側入力部１５を備えている。
【００７０】
又、移動端末３０は、デジタル放送（ワンセグ放送データを含む）を受信する携帯側放送データ通信部２１と、受信されたワンセグ放送データを出力表示する表示部と、受信された放送データを保存蓄積するデータ蓄積容量部２４と、放送番組データに含まれチャンネルを特定するチャンネル特定情報を、移動端末３０との間で近距離通信する携帯側近距離送信部２６および携帯側近距離受信部２７と、上記携帯側放送データ通信部２１、携帯側表示部２３、データ蓄積容量部２４、携帯側近距離送信部２６および携帯側近距離受信部２７それぞれの動作を制御する携帯側制御部２２とを有し、更に、この携帯側制御部２２に対して動作指令の入力を行う携帯側入力部２５とを備えた構成となっている。
【００７１】
ここで、上記の放送通信網１は、地上デジタル放送(ＩＰＴＶを含む)の放送通信網を想定している。又、上記携帯通信網２としては、通常の携帯電話網と屋内無線通信網と固定網の組み合わせを想定している。
【００７２】
以下、これを詳説する。
デジタル放送受信装置１０は、地上デジタル放送(以下「デジタル放送」という)の受信および出力表示可能なテレビ装置を想定している。
デジタル放送受信装置１０のテレビ側放送データ通信部１１は、放送網１に接続され、デジタル放送を受信する放送データ受信機能を備えている。ここで、テレビ側放送データ通信部１１は、例えば、地上デジタル放送を受信する放送通信用チップを想定している。
【００７３】
テレビ側表示部１３は、前記テレビ側放送データ通信部１１で受信された放送データを出力表示する放送データ表示機能を有する。
テレビ側データ蓄積部１４は、上記テレビ側放送データ通信部１１が受信した放送データを一時的に保存する放送データ保存機能を備えている。
【００７４】
テレビ１０のテレビ側近距離通信部はテレビ側近距離送信部１６およびテレビ側近距離受信部１７からなり、移動端末３０の近距離通信部との近距離通信(図７の３)を実行する。
テレビ側近距離送信部１６は、上記放送データの番組(チャンネル)を特定する番組特定情報を、移動端末３０に対して送信する番組特定情報送信機能を有する。
又、テレビ側近距離送信部１６は、テレビ１０と移動端末３０とが相互に通信可能であるときに、移動端末３０に対して番組特定情報の通知が可能であることを示す通知準備情報を送信する通知準備送信機能を備えている。
【００７５】
ここでは、テレビ１０と移動端末３０とが相互に通信可能である場合として、例えば、予め移動端末３０に備えられたＩｒＤＡが通信可能にある状態や、移動端末３０に備えられたＲＦＩＤがテレビ１０に接続されたＳＴＢ(テレビ１０に機能内蔵されたＳＴＢも含む)にかざされた状態を想定している。
テレビ側近距離受信部１７は、移動端末３０の近距離送信部２７から送り込まれる特定情報要求信号を受信する要求信号受信機能を備えている。
【００７６】
テレビ側制御部１２は、テレビ側放送データ通信部１１が受信する放送データをテレビ側表示部１３に出力表示する動作を制御する出力表示制御機能と、前記出力表示された放送データをテレビ側データ蓄積部１４に格納する出力放送データ格納機能を備えている。
又、テレビ側制御部１２は、受信された放送データから番組特定情報を取得してテレビ側近距離送信部１６に通知する番組特定情報通知機能と、テレビ側近距離受信部１７から通知された番組特定情報要求に対して上記番組特定情報通知機能を実行する要求応答機能を備えている。
【００７７】
更に、テレビ側制御部１２は、テレビ側表示部１３で表示されるチャンネルが切り替わったときに、切替先のチャンネルの番組特定情報を取得してテレビ側近距離送信部１６に通知する機能を備えている。
これにより、テレビ１０は、出力表示されるチャンネルが切り替えられることを契機として、切替先のチャンネルの番組特定情報を、前記移動端末３０に対して自動的に通知することができる。
【００７８】
次に、上記移動端末３０の携帯側放送データ通信部２１は、放送網１に接続され、デジタル放送を受信する放送データ受信機能を備えている。ここで、移動端末３０は、携帯端末用地上波デジタル放送(例えば、ワンセグ放送など)を受信可能な携帯電話を想定しており、又、携帯側放送データ通信部２１は、地上波デジタル放送(ワンセグ放送)を受信するワンセグ放送通信用チップを想定している。
携帯側表示部２３は、前記携帯側放送データ通信部２１で受信された放送データを出力表示する放送データ表示機能を有し、これにより、移動端末３０は、前記放送データの映像データおよび文字データを表示することができる。
【００７９】
携帯側データ蓄積部２４は、上記携帯側放送データ通信部２１が受信した放送データを一時的に保存する放送データ保存機能を備えている。これにより、移動端末３０は、出力表示した放送データおよび文字データを記録保持することができる。
又、携帯側データ蓄積部２４は、予め設定されたチャンネルマッピング情報を有する。ここで、チャンネルマッピング情報は、図２に示すように、テレビ１０における番組特定情報と移動端末３０における携帯端末用番組特定情報との相互対応を示すテーブル情報である。
【００８０】
携帯側近距離送信部２６は、上記放送データに含まれ当該放送データの番組を特定する番組特定情報を、移動端末３０に対して送信する番組特定情報送信機能を有する。
携帯側近距離受信部２７は、移動端末３０の近距離送信部２７から送り込まれる特定情報要求信号を受信する要求信号受信機能を備えている。
【００８１】
携帯側制御部２２は、テレビ側放送データ通信部１１の動作を制御することにより、携帯側表示部２３が放送データを出力表示する動作を制御する出力表示制御機能と、前記出力表示された放送データをテレビ側データ蓄積部１４に格納する出力放送データ格納機能を備えている。
又、携帯側制御部２２は、受信された放送データから番組特定情報を取得してテレビ側近距離送信部１６に通知する番組特定情報取得機能と、テレビ側近距離受信部１７から通知された要求情報に基づき上記番組特定情報取得機能を実行する要求応答機能を備えている。
【００８２】
更に、携帯側制御部２２は、携帯側表示部２３で表示される番組(チャンネル)が、（切替元のチャンネルから切替先のチャンネルに）切り替わったときに、切替先チャンネルの番組特定情報を取得して携帯側近距離送信部２６に通知する機能を備えている。
又、携帯側制御部２２は、携帯側データ蓄積部２４に予め保存されたチャンネルマッピング情報に基づいて、前記番組特定情報を携帯電話用番組特定情報に変換する番組特定情報変換機能を備えている。
【００８３】
更に、携帯側制御部２２は、テレビ側放送データ通信部１１を介して上記チャンネルマッピング情報を最新の状態に更新するマッピング情報更新機能を有する。
尚、このマッピング情報更新機能は、毎日の携帯電話オペレータのメンテナンスと合わせてＯＴＡ(Over The Air)で更新されるものとする。又、通信開始時に、移動端末の通信網インフラを介して、マッピング情報のチェックと更新が行われてもよい。
【００８４】
次に、通常携帯電話通信部２８は、通信網２に接続され、デジタル放送を受信する携帯端末用放送データ受信機能を備えている。
ここで、通信網２としては、通常の携帯電話網又は、屋内無線通信網と固定網の組み合わせ(例えばFemto Cell)であってもよい。
【００８５】
又、通常携帯電話通信部２８は、一般に携帯電話の通信ネットワーク上で適用される認証機能と、通信ネットワーク上における決済サービスであるモバイルペイメント機能とを備えている。
これにより、移動端末３０は、通信網２を介してセキュリティの高い認証システム下で決済サービスを利用することができる。
【００８６】
［実施形態２の動作説明］
次に、上記実施形態の動作について説明する。
先ず、デジタル放送受信装置１０が、前記デジタル放送を出力表示する(デジタル放送出力表示工程)。次いで、移動端末３０が、前記デジタル放送受信装置１０との間で近距離通信を行う(近距離通信工程)。次に、移動端末３０が、前記デジタル放送に対応した文字データを取得する(文字データ取得工程)。次いで、前記移動端末は、前記文字データを出力表示する(文字データ出力表示工程)。次に、前記移動端末が、出力表示された文字データを介して通信網に通信アクセスを行う(通信網アクセス工程)。
【００８７】
ここで、上記デジタル放送出力表示工程、近距離通信工程、文字データ取得工程、文字データ出力表示工程、および通信網アクセス工程については、その実行内容をプログラム化し、コンピュータに実行させるように構成してもよい。
【００８８】
次に、上記実施形態２のデジタル放送受信システムの動作のうち、デジタル放送番組を介してユーザが買い物を行う場合のデジタル放送受信システムの動作について図９のフローチャートに基づいて説明する。
【００８９】
先ず、デジタル放送受信装置(以下「テレビ」という)１０と移動端末３０とが相互に近距離通信が可能な状態で設置されており、テレビ１０は、移動端末３０との連携アプリケーションを立ち上げる(ステップＳ２００)。
ここでは、例えば、予め移動端末３０に備えられたＩｒＤＡが通信可能にある状態や、移動端末３０に備えられたＲＦＩＤが、テレビ１０に接続されたＳＴＢ(テレビ１０に機能内蔵されたＳＴＢも含む)にかざされた状態を想定している。
又、このとき移動端末３０のユーザは、デジタル放送のショッピング番組を視聴しているものとする。
ここで、テレビ１０は、出力表示中の番組の文字データが通知可能であることを示す文字データ通知準備情報を移動端末３０に送信すると共に、移動端末３０は、この文字データ通知準備情報に対応して、「文字データを取得するか否か」のダイアログを表示する(ステップＳ２０１)。
【００９０】
次いで、移動端末３０のユーザが、「文字データの取得」指定することにより、近距離送信部２７が、文字データ取得要求を送信する(ステップＳ２０２)。
次いで、移動端末３０の近距離受信部２６は、上記文字データ取得要求に対して送り込まれた文字データを取得すると共に、この文字データを表示する(ステップＳ２０３)。
尚、ここでは、テレビ１０と移動端末３０とが相互に近距離通信が可能な状態である場合に、移動端末３０が、文字データを自動的に取得するように設定してもよい。
【００９１】
次いで、表示された文字データ中のＵＲＬを、ユーザが選択指定することにより、Ｗｅｂサイト(ショッピングサイト)にアクセスを行う(ステップＳ２０４)。
ここで、文字データ中に電話番号が表示されている場合は、選択指定することにより電話をかけることができるものとする。
【００９２】
次いで、選択指定されたサイト内容が携帯側表示部２３に表示される(ステップＳ２０５)。
ここで、移動端末３０のユーザは、ショッピングを開始するか否かを選択指定する(ステップＳ２０６)。
ここで、ユーザがショッピングの開始を選択指定した場合に、ショッピングサイト内で予め設定された認証機能により、携帯端末ユーザの認証が行われてもよい。
【００９３】
次いで、移動端末３０のユーザは、表示されたショッピングサイトを介して商品の購入および注文を行い、移動端末３０に予め設けられたモバイルペイメント機能により支払いを行う(ステップＳ２０７)。
【００９４】
尚ステップＳ２０６で、ユーザが、「ショッピングを開始しない」を選択指定した場合に、当該ショッピングサイトの内容(又はサイトのＵＲＬ)を、予め設定されたあて先に通知する否かのダイアログが表示される(ステップＳ２０８)。
ここで、ユーザが、「転送する」を指定した場合、ショッピングサイトの内容を設定された転送先に転送する(ステップＳ２０９)。
次いで、ショッピングサイトの閲覧を継続するか否かのダイアログが表示される(ステップＳ２１０)。
【００９５】
ユーザが、ショッピングサイトの閲覧を継続する場合には、指定されたサイト内容が表示され(ステップＳ２０５へ)、一方、ショッピングサイトの閲覧継続を指定しない場合には、移動端末３０は、通信アクセスおよび通信を終了する(ステップＳ２１１)。
【００９６】
以上のように、ここでは、デジタル放送の番組における映像データをテレビ１０に、対応する文字データを移動端末３０の画面に、それぞれ出力表示することにより、ユーザは、予め移動端末に設けられた通信機能を利用して、テレビ１０の画面で視聴した商品の注文や購入を行うことができる。
又、移動端末３０に予め備えられたモバイルペイメント機能により、ショッピングにおける決済を容易に行うことができ、更に移動端末３０の認証機能を利用することにより、セキュリティの高い通信を行うことができる。
【００９７】
次に、上記実施形態２のデジタル放送受信システムの動作のうち、ユーザが、デジタル放送のクイズ番組に参加(クイズに回答)する、又はデジタル放送番組を介して投票を行う場合のデジタル放送受信システムの動作について図１０のフローチャートに基づいて説明する。
【００９８】
先ず、デジタル放送受信装置(以下「テレビ」という)１０と移動端末３０とが相互に近距離通信が可能な状態で設置されており、テレビ１０は、移動端末３０との連携アプリケーションを立ち上げる(ステップＳ２２０)。
ここでは、例えば、予め移動端末３０に備えられたＩｒＤＡが通信可能にある状態や、移動端末３０に備えられたＲＦＩＤが、テレビ１０に接続されたＳＴＢ(テレビ１０に機能内蔵されたＳＴＢも含む)にかざされた状態を想定している。
又、このとき移動端末３０のユーザは、デジタル放送のうち視聴者回答が可能なクイズ番組、又は視聴者投票可能な番組を視聴しているものとする。
ここで、テレビ１０は、番組の文字データの通知が可能であることを示す文字データ通知準備情報を移動端末３０に送信すると共に、移動端末３０は、この文字データ通知準備情報に対応して、「文字データを取得するか否か」のダイアログを表示する(ステップＳ２２１)。
【００９９】
次いで、移動端末３０のユーザが、「文字データの取得」指定することにより、近距離送信部２７が、文字データ取得要求をテレビ１０に送信する(ステップＳ２２２)。
次いで、移動端末３０の近距離受信部２６は、上記文字データ取得要求に対して送り込まれた文字データを取得して、この文字データを表示する(ステップＳ２２３)。
【０１００】
次いで、表示された文字データ中のＵＲＬを、ユーザが選択指定することにより、関連Ｗｅｂサイトにアクセスを行う(ステップＳ２２４)。
ここで、文字データ中に電話番号が表示されている場合は、選択指定することにより電話をかけることができるものとする。
【０１０１】
次いで、選択指定されたサイト内容(クイズ回答・投票サイト)が携帯側表示部２３に表示される(ステップＳ２２５)。
移動端末３０のユーザは、デジタル放送(番組)におけるクイズの回答(又は投票)を行うか否かを、表示されたサイト上で選択指定する(ステップＳ２２６)。ここで、ユーザがクイズ回答又は投票を行う場合には、移動端末３０に予め設けられた移動端末３０のユーザ認証機能を利用して、クイズ回答又は投票を行う(ステップＳ２２７)。
これにより、正確な回答・投票人数の集計を行うことができると共に、個人情報の漏洩を有効に回避することが可能となる。
【０１０２】
次いで、移動端末３０のユーザが、クイズ回答・投票サイトの閲覧を継続する場合には、指定されたサイト内容が表示され(ステップＳ２２５へ)、一方、クイズ回答・投票サイトの閲覧継続を指定しない場合(ステップＳ２２８)、移動端末３０は、通信アクセスおよび通信を終了する(ステップＳ２２９)。
【０１０３】
以上のように、ここでは、デジタル放送の番組における映像データをテレビ１０に、対応する文字データを移動端末３０の画面に、それぞれ出力表示することにより、ユーザは、予め移動端末に設けられた通信機能を利用して、番組におけるクイズに直接回答したり、選挙やアンケートに対する投票を行うことができる。
【０１０４】
次に、上記実施形態２のデジタル放送受信システムの動作のうち、デジタル放送番組の映像を移動端末３０に出力表示する場合のデジタル放送受信システムの動作について図１１のフローチャートに基づいて説明する。
【０１０５】
先ず、デジタル放送受信装置(以下「テレビ」という)１０と移動端末３０とが相互に近距離通信が可能な状態で設置されており、テレビ１０は、移動端末３０との連携アプリケーションを立ち上げる(ステップＳ２４０)。
ここでは、例えば、予め移動端末３０に備えられたＩｒＤＡが通信可能にある状態や、移動端末３０に備えられたＲＦＩＤが、テレビ１０に接続されたＳＴＢ(テレビ１０に機能内蔵されたＳＴＢも含む)にかざされた状態を想定している。
又、このとき移動端末３０のユーザは、出力表示されているデジタル放送番組を視聴しているものとする。
ここで、テレビ１０は、移動端末３０に文字データの通知が可能であることを示す文字データ通知準備情報を送信すると共に、移動端末３０は、この文字データ通知準備情報に対応して、「文字データを取得するか否か」のダイアログを表示する(ステップＳ２４１)。
【０１０６】
次いで、移動端末３０のユーザが、「文字データの取得」を指定することにより、近距離送信部２７が、映像データ取得要求を送信する(ステップＳ２４２)。
次いで、移動端末３０は、上記映像データ要求に対して送り込まれた映像データを取得すると共に出力表示する(ステップＳ２４３)。尚、ここで、取得された映像データには、対応する文字データが含まれていてもよい。
又、ここでは、テレビ１０と移動端末３０とが相互に近距離通信が可能な状態である場合に、移動端末３０が、映像データを自動的に取得するように設定してもよい。移動端末３０はユーザの操作を伴うことなく、番組特定情報を取得することができる。
【０１０７】
ここで、テレビ１０側では映像データの出力表示を維持している(ステップＳ２４４)。
次いで、移動端末３０は、テレビ１０で文字データを出力表示するか否かのダイアログを表示する(ステップＳ２４５)。ここで、移動端末３０のユーザが文字データの出力表示を指定した場合、移動端末３０からテレビ１０に、表示された映像データを対応する文字データに切り替えることを指令する信号(文字データ切替表示信号)を送信する(ステップＳ２４６)。
テレビ１０は、文字データ切替表示信号に基づき、対応する文字データを出力表示する(ステップＳ２４７)。
次いで、ユーザは、テレビ１０の入力部を操作することにより、テレビ１０で出力表示される番組に応じて、ショッピング、投票、クイズ回答などを行う(ステップＳ２４８)
【０１０８】
以上のように、ここでは、テレビ１０が放送網１および通信網２に接続可能である場合に、デジタル放送の映像データを移動端末３０に、又、この映像データに対応する文字データをテレビ１０にそれぞれ出力表示することができ、これにより、テレビ１０に表示された文字データを介して直接に通信アクセスを行うことができる。
これにより、ユーザは、予めテレビ１０に備えられた通信機能を利用して移動端末３０で視聴したデジタル放送における番組に投票、クイズ回答などの形で直接参加する、又は、番組で紹介された商品を購入するといったことが可能となる。
【０１０９】
以上のように、この実施形態２では、テレビ１０(据置ＴＶ)で視聴される番組に対応した文字データを移動端末３０側で表示することにより、予め移動端末(携帯電話)に設けられた通信機能を利用して文字データ内のアドレス等に直接に通信アクセスを行うことができる。
【０１１０】
このように、上記実施形態２によれば、デジタル放送を出力表示するテレビ１０と、このテレビ１０との間で相互に近距離通信(例えば、BluetoothやIrDA等)を行い、通信網２を介して通信を行う機能を有する移動端末３０とを備え、又、この移動端末３０が、前記テレビ１０にデジタル放送が出力表示されたときに、当該デジタル放送に対応した文字データをテレビ１０から取得すると共に出力表示する機能を有する構成となっている。
【０１１１】
これによって、前記デジタル放送の映像と文字データとを、テレビ１０と移動端末３０とに、それぞれ自動的に出力表示でき、更に移動端末３０は、当該移動端末３０に出力表示された文字データを介して、通信網２に通信アクセスを行うことができ、このため、携帯電話をはじめとする移動端末の通信機能と据置ＴＶ(テレビ)で視聴されるデジタル放送とをユーザが容易に連携して利用することができる。
【産業上の利用可能性】
【０１１２】
本発明は、携帯端末における通信技術とデジタル放送対応テレビに配信される番組を連動させた通信ネットワークサービスへの利用が考えられる。
【図面の簡単な説明】
【０１１３】
【図１】本発明によるデジタル放送受信システムの一実施例の全体を示す概略構成図である。
【図２】図１に開示したデジタル放送受信システムの一実施形態における構成内容の一例を示すブロック図である。
【図３】図１に開示したデジタル放送受信システムであって、デジタル放送チャンネルと携帯用放送チャンネルとの対応を示すテーブルの一例を示す説明図である。
【図４】図１に開示したデジタル放送受信システムにおける一動作処理ステップを示したフローチャートである。
【図５】図１に開示したデジタル放送受信システムにおける一動作処理ステップを示したフローチャートである。
【図６】図１に開示したデジタル放送受信システムにおける一動作処理ステップを示したフローチャートである。
【図７】本発明によるデジタル放送受信システムの一実施例の全体を示す概略構成図である。
【図８】図７に開示したデジタル放送受信システムの一実施形態における構成内容の一例を示すブロック図である。
【図９】図７に開示したデジタル放送受信システムにおける一動作処理ステップを示したフローチャートである。
【図１０】図７に開示したデジタル放送受信システムにおける一動作処理ステップを示したフローチャートである。
【図１１】図７に開示したデジタル放送受信システムにおける一動作処理ステップを示したフローチャートである。
【符号の説明】
【０１１４】
１  放送網
２  通信網
３  近距離通信
１０  デジタル放送受信装置(テレビ)
１１  テレビ側放送データ通信部
１２  テレビ側制御部
１３  テレビ側表示部
１４  テレビ側データ蓄積部
１５  テレビ側入力部
１６  テレビ側近距離送信部
１７  テレビ側近距離受信部
２０、３０  移動端末
２１  携帯側放送データ通信部
２２  携帯側制御部
２３  携帯側表示部
２４  携帯側データ蓄積部
２５  携帯側入力部
２６  携帯側近距離送信部
２７  携帯側近距離受信部
【図１】
2009038774.tif 000003
【図２】
2009038774.tif 000004
【図３】
2009038774.tif 000005
【図４】
2009038774.tif 000006
【図５】
2009038774.tif 000007
【図６】
2009038774.tif 000008
【図７】
2009038774.tif 000009
【図８】
2009038774.tif 000010
【図９】
2009038774.tif 000011
【図１０】
2009038774.tif 000012
【図１１】
2009038774.tif 000013